(57)【要約】【課題】エレベーターの乗り場または乗かご内に設定されている表示器の連続した誤表示を防止する。【解決手段】エレベーターの乗り場または乗かご内に設置されている表示器と、表示器に画像を表示する処理をする表示制御装置とを備える、エレベーターの画像表示システムにおいて、画像表示指令データを定期的に又は不定期的にエレベーターのエレベーター制御装置から受信するようになっている表示制御装置が、表示器に表示されている画像に関連付けられている画像識別データと、今回受信した画像表示指令データに対応した画像識別データとの整合性をチェックする。表示制御装置は、両画像識別データが不一致の場合に表示画像を更新する処理を行い、両画像識別データが一致の場合に表示画像を維持する。【選択図】  図４
2019131376.tif 000002
【特許請求の範囲】
【請求項１】
エレベーターの乗り場または乗かご内に設置されている表示器と、前記表示器に画像を表示する処理をする表示制御装置とを備える、前記エレベーターの画像表示システムにおいて、
前記表示制御装置が、前記エレベーターのエレベーター制御装置から画像表示指令データを定期的に又は不定期的に受信するようになっており、
前記表示制御装置が、
前記表示器に表示されている画像に関連付けられている画像識別データと、今回受信した画像表示指令データに対応した画像に関連付けられている画像識別データとの整合性をチェックし、
両画像識別データが不一致の場合、前記表示器に表示されている画像を、前記今回受信した画像表示指令データが示す指令に対応した画像に更新する処理を行い、
前記両画像識別データが一致の場合、前記表示器に表示される画像を維持する、
画像表示システム。
【請求項２】
画像に関連付けられている画像識別データは、当該画像を示す画像データの拡張部分として設けられたデータであり、前記画像データの表示範囲外に設けられたデータである、
ことを特徴とする請求項１に記載の画像表示システム。
【請求項３】
前記画像データが、前記表示範囲が相対的に縦方向に移動する画像データの場合、前記画像データは、前記画像データの左右の少なくとも一方の側に前記画像識別データを有する、
ことを特徴とする請求項２に記載の画像表示システム。
【請求項４】
前記画像データが、前記表示範囲が相対的に横方向に移動する画像データの場合、前記画像データは、前記画像データの上下の少なくとも一方の側に前記画像識別データを有する、
ことを特徴とする請求項２に記載の画像表示システム。
【請求項５】
前記画像データの拡張部分に前記画像識別データを設定する画像加工装置を更に備える、
ことを特徴とする請求項２乃至４のうちのいずれか１項に記載の画像表示システム。
【請求項６】
乗かごと、乗り場または前記乗かご内に設置されている表示器と、前記表示器に画像を表示する処理をする表示制御装置と、前記表示制御装置に画像表示指令データを定期的に又は不定期的に送信するエレベーター制御装置とを備えるエレベーターにおいて、
前記表示制御装置が、
前記表示器に表示されている画像に関連付けられている画像識別データと、今回受信した画像表示指令データに対応した画像に関連付けられている画像識別データとの整合性をチェックし、
両画像識別データが不一致の場合、前記表示器に表示されている画像を、前記今回受信した画像表示指令データが示す指令に対応した画像に更新する処理を行い、
前記両画像識別データが一致の場合、前記表示器に表示される画像を維持する、
エレベーター。
【請求項７】
エレベーターの乗り場または乗かご内に設置されている表示器に画像を表示する処理をする画像表示方法において、
画像表示指令データを定期的に又は不定期的に送信するエレベーター制御装置から画像表示指令データを受信する都度に、
前記表示器に表示されている画像に関連付けられている画像識別データと、今回受信した画像表示指令データに対応した画像に関連付けられている画像識別データとの整合性をチェックし、
両画像識別データが不一致の場合、前記表示器に表示されている画像を、前記今回受信した画像表示指令データが示す指令に対応した画像に更新する処理を行い、
前記両画像識別データが一致の場合、前記表示器に表示される画像を維持する、
画像表示方法。
【発明の詳細な説明】
【技術分野】
【０００１】
本発明は、概して、エレベーターの画像表示に関する。
【背景技術】
【０００２】
画像表示に関して、特許文献１の技術が知られている。特許文献１には、例えば次のことが開示されている。親機が指令データを送信する。その指令データを子機が受信し、その指令データに基づいて、子機が、後工程の確認データを親機に送信する。親機において、指令データと確認データの整合性の確認がとれれば後工程が行われる。
【先行技術文献】
【特許文献】
【０００３】
【特許文献１】特開２０１２−０４３３１７号公報
【発明の概要】
【発明が解決しようとする課題】
【０００４】
特許文献１の技術によれば、後工程で指令データと違うことが子機において行われても、指令データと違う処理がそのまま続行してしまう。
【０００５】
このような特許文献１の技術をエレベーターの画像表示に適用する場合、次のような問題が生じると考えられる。以下の例では、表示ユニットは、液晶ユニットであるとする。
【０００６】
各階乗り場や乗かご内に設けられた液晶ユニットに、定期的に又は不定期的に（連続した）画像表示指令データ（画像処理の指令を示すデータ）を送信するようなっているエレベーターにおいて、液晶ユニットは、画像表示指令データ（以下、指令データ）が前回受信した指令データと同じ指令を示している場合、１度表示した画像から画像処理を行わず、表示している画像を維持する。今回受信した指令データが前回受信した指令データが示す指令と違う指令を示している場合、液晶ユニットは、画像処理を行うことで、表示している画像を更新する。画像処理から画像表示の間に何らかの影響で本来表示されるべき画像とは違う画像が表示されても、その後に同じ指令データを受信している間は、液晶ユニットは、画像を更新しない。このため、連続して誤った画像が表示されてしまう（誤った画像の表示が継続してしまう）。
【課題を解決するための手段】
【０００７】
エレベーターの乗り場または乗かご内に設置されている表示器と、表示器に画像を表示する処理をする表示制御装置とを備える、エレベーターの画像表示システムにおいて、画像表示指令データを定期的に又は不定期的にエレベーターのエレベーター制御装置から受信するようになっている表示制御装置が、表示器に表示されている画像に関連付けられている画像識別データと、今回受信した画像表示指令データに対応した画像識別データとの整合性をチェックする。表示制御装置は、両画像識別データが不一致の場合に表示画像を更新する処理を行い、両画像識別データが一致の場合に表示画像を維持する。
【発明の効果】
【０００８】
本発明によれば、連続した誤表示を防止できる。
【図面の簡単な説明】
【０００９】
【図１】本発明の一実施形態に係るエレベーターの全体構成を示す概略構成図。
【図２】エレベーターの画像表示の模式図。
【図３】液晶制御装置が管理するデータの構成を示す図。
【図４】液晶制御装置が行う処理のフローチャート。
【図５】表示範囲が相対的に縦方向に移動する画像データのワーク領域を示す模式図。
【図６】表示範囲が相対的に横方向に移動する画像データのワーク領域を示す模式図。
【発明を実施するための形態】
【００１０】
以下の説明では、「インターフェース部」は、１以上のインターフェースでよい。当該１以上のインターフェースは、１以上の同種のインターフェースデバイスであってもよいし２以上の異種のインターフェースデバイスであってもよい。
【００１１】
また、以下の説明では、「メモリ部」は、１以上のメモリであり、典型的には主記憶デバイスでよい。メモリ部における少なくとも１つのメモリは、揮発性メモリであってもよいし不揮発性メモリであってもよい。
【００１２】
また、以下の説明では、「ＰＤＥＶ部」は、１以上のＰＤＥＶであり、典型的には補助記憶デバイスでよい。「ＰＤＥＶ」は、物理的な記憶デバイス（Physical storage DEVice）を意味し、典型的には、不揮発性の記憶デバイス、例えばＨＤＤ（Hard Disk Drive）またはＳＳＤ（Solid State Drive）である。
【００１３】
また、以下の説明では、「記憶部」は、メモリ部およびＰＤＥＶ部のうちの少なくとも１つ（典型的には少なくともメモリ部）である。
【００１４】
また、以下の説明では、「プロセッサ部」は、１以上のプロセッサである。少なくとも１つのプロセッサは、典型的には、ＣＰＵ（Central Processing Unit）のようなマイクロプロセッサであるが、ＧＰＵ（Graphics Processing Unit）のような他種のプロセッサでもよい。少なくとも１つのプロセッサは、シングルコアでもよいしマルチコアでもよい。少なくとも１つのプロセッサは、処理の一部または全部を行うハードウェア回路（例えばＦＰＧＡ（Field-Programmable Gate Array）またはＡＳＩＣ（Application Specific Integrated Circuit））といった広義のプロセッサでもよい。
【００１５】
以下の説明では、同種の要素を区別しないで説明する場合には、参照符号のうちの共通部分を使用し、同種の要素を区別して説明する場合は、参照符号を使用することがある。例えば、液晶ユニットを特に区別しないで説明する場合には、「液晶ユニット２」と記載し、個々の液晶ユニットを区別して説明する場合には、「液晶ユニット２Ａ」、「液晶ユニット２Ｂ」のように記載することがある。
【００１６】
以下、図面について、本発明の一実施形態を詳述する。
【００１７】
図１を参照して、エレベーター画像表示の構成について説明する。
【００１８】
図１は、エレベーターの全体構成を示す概略構成図である。
【００１９】
図１に示す、エレベーターは、エレベーター制御装置１、各階乗り場の液晶ユニット２Ａ〜２Ｃ、乗かご６０、および、乗かご６０内の液晶ユニット２Ｐを有している。エレベーター制御装置１は、液晶ユニット２Ａ〜２Ｃおよび２Ｐに接続している。
【００２０】
図２は、エレベーター画像表示の概略図である。
【００２１】
液晶ユニット２（表示ユニットの一例）は、液晶制御装置４（表示制御装置の一例）と液晶表示器５（表示器の一例）を有する。液晶制御装置４は、エレベーター制御装置１より、一定周期で（または不定期的に）画像表示指令データ６を受信する。液晶制御装置４は、エレベーター制御装置１より受信した画像表示指令データ６に対応した画像処理を行う。画像処理において、液晶制御装置４は、液晶表示器５に、画像識別データ８を設けた画像データ７を送信し、液晶表示器５が、当該画像データ７が示す画像を表示する。液晶制御装置４が新たに画像表示指令データ６を受信した場合、当該液晶表示器５により表示されている画像を示す画像データ７に含まれている画像識別データ８を、液晶制御装置４が、今回受信した画像表示指令データ６に対応した画像データ７中の画像識別データ８との整合性をチェックするために取得する。この処理に関して、後ほどフローチャートにて詳述する。画像識別データ８は画像加工装置１１により画像データ７に設けられる。画像加工装置１１にて加工した画像データ７を液晶制御装置４が記憶する。画像加工装置１１は画像データ７を加工する装置であり、画像表示に関する一連の処理に影響するものではないため、エレベーター内外どちらに設置されてもよい。画像加工装置１１は、例えば、計算機でもよいし、１以上のプロセッサが１以上のコンピュータプログラムを実行することによって実現された機能（例えば複数の計算機資源を有するクラウド基盤上に設けられた機能）でもよい。画像加工装置１１が設けられていることにより、後述するように、表示範囲が相対的に動いても画像識別データ８が表示範囲に入ることが無いといったことを実現する画像データ７の生成が可能となる。
【００２２】
図３は、液晶制御装置４が管理するデータの構成を示す図である。
【００２３】
液晶制御装置４は、例えば、インターフェース部、記憶部およびそれらに接続されたプロセッサ部を有する。図３に示す指令／画像テーブル３０、および、画像データ７は、記憶部に格納される。
【００２４】
指令／画像テーブル３０は、指令データ毎に、指令データ中の指令コード（指令を示すコード）を示す情報３１と、画像データ７（または画像データ７へのポインタ）としての情報３２とを含む。
【００２５】
画像データ７は、画像（画像としてのデータ部分）１０に加えて拡張部分としての画像識別データ８を有する。画像１０は、矩形であり、矩形の表示範囲に一致する。画像データ７として、画像１０の左右の少なくとも一方の側に画像識別データ８を有する画像データ７Ａと、画像１０の上下の少なくとも一方の側に画像識別データ８を有する画像データ７Ｂとがある。拡張部分は、画像データ７に対する表示範囲の外の部分、言い換えれば、画像データ７のうちの非表示範囲に対応した部分である。
【００２６】
図４は、液晶制御装置４が行う処理のフローチャートである。
【００２７】
液晶制御装置４は、上述したように、エレベーター制御装置１より一定周期で（または不定期的に）画像表示指令データ６を受信するようになっている。液晶制御装置４は、画像表示指令データ６を受信した場合（Ｓ１：Ｙｅｓ）、液晶表示器５に表示されている画像に関連付けられている画像識別データ８を液晶表示器５から取得する（Ｓ２）。そして、液晶制御装置４は、エレベーター制御装置１より今回受信した画像表示指令データ６に対応する画像データ７中の画像識別データ８と、Ｓ２で取得した画像識別データ８との整合性をチェックする（Ｓ３）。例えば、「画像表示指令データ６＝Ａ」ならば、「画像識別データ８＝ＡＡでなければならない」、という規定プログラムがある（テーブル３０がそのような関係を示している）とする。その時に、画像表示指令データ６が“Ａ”であるにも関わらず、取得された画像識別データ８が“ＢＢ”の場合、規定プログラムは否定されるので、液晶制御装置４は、両画像識別データ８は不整合とし、整合性チェックにおいて不一致として処理する。
【００２８】
両画像識別データ８が一致の場合（Ｓ３：Ｙｅｓ）、液晶制御装置４は、液晶表示器５に表示されている画像を維持する（例えば画像処理を行わない）。
【００２９】
両画像識別データ８が不一致の場合（Ｓ３：Ｎｏ）、液晶制御装置４は、今回受信した画像表示指令データ６に対応した画像処理を行うことで、液晶表示器５に表示されている画像を、今回受信した画像表示指令データ６に対応した画像に更新する（Ｓ４）。これを行うことにより、画像処理から画像表示までの間に何らかの影響で画像表示指令データ６に対応していない画像が誤表示（例えば一瞬誤表示）されてしまったとしても、次の周期で画像表示指令データ６を受信した時に、整合性チェックにおいて不一致が得られて、再度画像処理が行われ、結果として、連続した誤表示を防止することができる。
【００３０】
図５は、表示範囲が相対的に縦方向に移動する画像データ７Ａのワーク領域９を示す模式図である。
【００３１】
ワーク領域９とは、画像を表示するための領域であり、画像データ７Ａ（７）が展開される領域である。液晶表示器５などの画像を表示する機器は、例えば、インターフェース部、記憶部およびそれらに接続されたプロセッサ部を有しており、記憶部におけるワーク領域９にある画像データ７Ａ（７）のうちの決められた表示範囲５１に対応する部分のみを表示する。表示範囲５１に対応する部分が画像１０である。ワーク領域９は画像データ７より広い領域を有している。表示範囲５１は、ワーク領域９の全域よりも狭い範囲である。画像識別データ８が画像データ７Ａ（７）に設けられるが、表示範囲５１の外に出る拡張部分に画像識別データ８が設けるため、画像識別データ８が表示されること無しに画像１０の表示が可能である。
【００３２】
図５に例として示すように、エレベーターでは、方向を表すオブジェクト（例えば矢印）、が、エレベーター昇降方向などに対応して縦に液晶表示器５の画面上を動くことがある。すなわち、表示範囲５１が、画像データ７Ａ上を相対的に縦方向に移動することがある。このように、表示範囲５１が相対的に縦方向に移動する画像データ７Ａについて、画像識別データ８が、画像データ７Ａの左右少なくとも一方の側に設けられている。これにより、画像１０が相対的に縦方向（例えば昇降方向）に動いても、画像識別データ８が表示範囲５１に入ることが無く、結果として、液晶表示器５に表示する画像に影響はなく、縦の動きに対応することができる。
【００３３】
図６は、表示範囲５１が相対的に横方向に移動する画像データ７Ｂのワーク領域９を示す模式図である。
【００３４】
図６に例として示すように、エレベーターでは、液晶表示器５に表示する画像が乗り場や乗りかご６０のドア（図示せず）の開閉方向などに対応して横に動くことがある。すなわち、表示範囲５１が、画像データ７Ｂ上を相対的に横方向に移動することがある。このように、表示範囲５１が相対的に横方向に移動する画像データ７Ｂについて、画像識別データ８が画像データ７Ｂの上下少なくとも一方の側に設けられている。これにより、画像１０が相対的に横方向（例えばドア開閉方向）に動いても、画像識別データ８が表示範囲５１に入ることが無く、結果として、液晶表示器５に表示する画像に影響はなく、横の動きに対応することができる。
【００３５】
以上、本発明の一実施形態を説明したが、これは本発明の説明のための例示であって、本発明の範囲をこの実施形態にのみ限定する趣旨ではない。本発明は、他の種々の形態でも実行することが可能である。
【符号の説明】
【００３６】
１…エレベーター制御装置、２Ａ，２Ｂ，２Ｃ…各階乗り場の液晶ユニット、２Ｐ…乗かご内の液晶ユニット、４…液晶制御装置、５…液晶表示器、６…画像表示指令データ、７…画像データ、８…画像識別データ、９…ワーク領域、１０…画像、１１…画像加工装置、５１…表示範囲
【図１】
2019131376.tif 000003
【図２】
2019131376.tif 000004
【図３】
2019131376.tif 000005
【図４】
2019131376.tif 000006
【図５】
2019131376.tif 000007
【図６】
2019131376.tif 000008